(57)【特許請求の範囲】
【請求項１】
エネルギシステムにおけるエネルギ処理状況に関するデータを表示するためのエネルギ表示装置であって、
特定期間における前記データである特定データを、表示画面のグラフ表示エリアにグラフ表示するための第１の表示手段と、
前記グラフ表示された前記特定データの中から、前記特定期間の一部期間における前記データである部分データを選択するための第１の選択手段と、
前記第１の選択手段により選択された前記部分データに関連する数値情報を表す数値画像を、前記グラフ表示されている前記表示画面に表示するための第２の表示手段とを備え、
前記第２の表示手段は、前記グラフ表示エリア内に、前記数値画像を表示し、
前記第１の表示手段は、前記数値画像が前記グラフ表示された前記データと重ならないように、前記グラフ表示における表示レンジを変更する、エネルギ表示装置。
【請求項２】
前記第２の表示手段は、前記グラフ表示エリア内において、前記数値画像と前記部分データとを関連付けて表示する、請求項１に記載のエネルギ表示装置。
【請求項３】
前記グラフ表示において、前記第１の選択手段により選択された前記部分データの表示態様は、前記部分データ以外の前記データの表示態様と異なる、請求項１または２に記載のエネルギ表示装置。
【請求項４】
前記部分データに関連する複数の前記数値情報の中から、前記第２の表示手段により数値表示される前記数値情報を選択するための第２の選択手段をさらに備える、請求項１〜３のいずれか１項に記載のエネルギ表示装置。
【請求項５】
前記第２の表示手段は、前記部分データに関連する複数の前記数値情報を、前記グラフ表示されている前記表示画面に一括して数値表示する、請求項１〜３のいずれか１項に記載のエネルギ表示装置。
【請求項６】
前記第２の表示手段は、前記部分データに関連する複数の前記数値情報を、前記グラフ表示されている前記表示画面に時間的に切替えて数値表示する、請求項１〜３のいずれか１項に記載のエネルギ表示装置。
【請求項７】
前記数値情報は、前記部分データを示す数値、前記一部期間を示す数値、および前記部分データを示す数値を変換した数値の少なくとも１つである、請求項１〜６のいずれか１項に記載のエネルギ表示装置。
【発明の詳細な説明】
【技術分野】
【０００１】
この発明は、エネルギ表示装置に関し、より特定的には、エネルギ処理状況に関するデータをグラフ表示するためのエネルギ表示装置に関する。
【背景技術】
【０００２】
エネルギシステムにおいて、エネルギ処理状況に関するデータをリモコンに表示することが行なわれている。たとえば、特許第５２０９０６９号公報（特許文献１）には、リモコンの表示画面の下部に配置されたグラフ領域に、設定期間（たとえば、１か月）におけるエネルギ使用量の累積値を、設定期間よりも短い期間（たとえば、１日）ごとのエネルギ使用量の累積値に細分化した棒グラフによって表示する構成が記載されている。
【０００３】
特許文献１ではさらに、このグラフ領域の上方において、上記設定期間におけるエネルギ使用量の累積値および設定目標値を数値表示する構成が記載されている。
【先行技術文献】
【特許文献】
【０００４】
【特許文献１】特許第５２０９０６９号公報
【発明の概要】
【発明が解決しようとする課題】
【０００５】
しかしながら、特許文献１の表示では、グラフ領域に表示される棒グラフを構成している棒単位でのデータに関連する数値情報（たとえば、エネルギ使用量の累積値や使用料金など）を取得するためには、ユーザは、メニュー画面を表示画面に表示させて、表示させるデータ項目および設定期間を変更するための操作が必要となる。そのため、ユーザの利便性に欠けるという問題がある。
【０００６】
この発明はこのような問題点を解決するためになされたものであって、この発明の目的は、エネルギ処理状況に関するデータの表示におけるユーザの利便性を高めることである。
【課題を解決するための手段】
【０００７】
この発明のある局面では、エネルギシステムにおけるエネルギ処理状況に関するデータを表示するためのエネルギ表示装置であって、特定期間におけるデータである特定データを、表示画面のグラフ表示エリアにグラフ表示するための第１の表示手段と、グラフ表示された特定データの中から、特定期間の一部期間におけるデータである部分データを選択するための第１の選択手段と、第１の選択手段により選択された部分データに関連する数値情報を表す数値画像を、グラフ表示されている表示画面に表示するための第２の表示手段とを備える。
【０００８】
上記エネルギ表示装置によれば、ユーザは、表示画面上で、特定データの時間的推移と、部分データに関連する数値情報とを同時に取得することができる。これにより、ユーザは、部分データの数値情報を取得するために、特定データがグラフ表示された表示画面を、当該数値情報を数値表示するための表示画面に切替えるための操作が不要となる。この結果、データ表示におけるユーザの利便性を向上させることができる。
【０００９】
なお、「グラフ表示エリア」とは、データを棒グラフまたは折れ線グラフなどのグラフによって表示するための表示エリアである。「数値画像をグラフ表示されている表示画面に表示する」とは、グラフ表示エリア内に数値画像を表示する場合に限らず、グラフ表示エリアとこれ以外の表示エリアとに跨って数値画像を表示する場合も含む意である。
【００１０】
また、本発明において、「エネルギ処理状況」とは、エネルギの消費に関する事項だけはなく、たとえばエネルギを発生させたり、あるいは売買するといった状況も含む意である。また、「エネルギ処理状況に関するデータ」とは、上述したようなエネルギ処理状況を直接示すデータ（たとえば、エネルギ消費量や発電量など）に加え、たとえばエネルギ消費量を金額や二酸化炭素の発生量で示すなど、エネルギ処理状況を間接的に示すデータも含む意である。
【００１１】
好ましくは、第２の表示手段は、グラフ表示エリア内に、数値画像を表示する。このようにすると、数値表示を行なうための新たなスペースが不要となるため、表示画面が大型化することがない。
【００１２】
好ましくは、第２の表示手段は、グラフ表示エリア内において、数値画像と部分データとを関連付けて表示する。このようにすると、表示される数値情報が部分データに関連するものであることをユーザに容易に認識させることができる。
【００１３】
好ましくは、第１の表示手段は、数値画像がグラフ表示されたデータと重ならないように、グラフ表示における表示レンジを変更する。このようにすると、数値画像がグラフの一部分を覆うことによる、グラフ表示の視認性を低下することを防ぐことができる。
【００１４】
好ましくは、グラフ表示において、第１の選択手段により選択された部分データの表示態様は、部分データ以外のデータの表示態様と異なる。
【００１５】
このようにすると、特定期間のうちのどの一部期間におけるデータが部分データに選択されているかをユーザに容易に認識させることができる。なお、「表示態様を異ならせる」とは、グラフ表示において部分データを強調表示する意であり、たとえば、部分データとその他のデータとの間で表示色、表示輝度および表示サイズ等を異ならせたり、部分データのみを点灯表示させることが含まれる。
【００１６】
好ましくは、上記エネルギ表示装置は、部分データに関連する複数の数値情報の中から、第２の表示手段により数値表示される数値情報を選択するための第２の選択手段をさらに備える。
【００１７】
このようにすると、部分データに関連する数値情報が複数存在する場合においても、ユーザは、表示画面上で、特定データの時間的推移と、所望の数値情報とを同時に取得することができる。これにより、ユーザの利便性をさらに向上させることができる。
【００１８】
好ましくは、第２の表示手段は、部分データに関連する複数の数値情報を、グラフ表示されている表示画面に一括して数値表示する。このようにすると、部分データに関連する数値情報が複数存在する場合において、ユーザは、表示画面上で、特定データの時間的推移と、当該複数の数値情報とを同時に取得することができる。これにより、ユーザの利便性をさらに向上させることができる。
【００１９】
好ましくは、第２の表示手段は、部分データに関連する複数の数値情報を、グラフ表示されている表示画面に時間的に切替えて数値表示する。このようにすると、部分データに関連する数値情報が複数存在する場合において、ユーザは、表示画面上で、特定データの時間的推移と、当該複数の数値情報とを取得することができる。これにより、ユーザの利便性をさらに向上させることができる。
【００２０】
好ましくは、数値情報は、部分データを示す数値、一部期間を示す数値、および部分データを示す数値を変換した数値の少なくとも１つである。
【発明の効果】
【００２１】
この発明によれば、エネルギ処理状況に関するデータの表示におけるユーザの利便性を高めることができる。
【図面の簡単な説明】
【００２２】
【図１】本発明の実施の形態に従うエネルギ表示装置が適用されるエネルギシステムの構成例を示すブロック図である。
【図２】図１におけるリモコンの前面図である。
【図３】本実施の形態に従うエネルギ表示装置におけるデータ表示の第１の画面例を示す図である。
【図４】本実施の形態に従うエネルギ表示装置におけるデータ表示の第２の画面例を示す図である。
【図５】本実施の形態に従うエネルギ表示装置におけるデータ表示の第３の画面例を示す図である。
【図６】本実施の形態に従うエネルギ表示装置におけるデータ表示の第４の画面例を示す図である。
【図７】本実施の形態に従うエネルギ表示装置におけるデータ表示の第５の画面例を示す図である。
【図８】本実施の形態に従うエネルギ表示装置におけるデータ表示の第６の画面例を示す図である。
【図９】本実施の形態の変形例に従うエネルギ表示装置におけるデータ表示の画面例を示す図である。
【発明を実施するための形態】
【００２３】
以下に、本発明の実施の形態について図面を参照して詳細に説明する。なお以下では、図中の同一または相当部分には同一符号を付してその説明は原則的には繰返さないものとする。
【００２４】
図１は、本発明の実施の形態に従うエネルギ表示装置が適用されるエネルギシステムの構成例を示すブロック図である。
【００２５】
図１を参照して、エネルギシステム１００は、ユーザインタフェースのためのリモートコントロール装置２００（以下、単に「リモコン２００」とも称する）へのユーザ入力に応じて制御される。以下の説明で明らかになるように、図１に例示されたエネルギシステム１００は、コージェネレーションシステムとして構成されている。
【００２６】
エネルギシステム１００は、ガスエンジンで構成される熱源機２５と、熱源機２５からの動力によって運転される発電機２０と、ソーラ電池パネル２６とを備える。すなわち、エネルギシステム１００は、複数の発電要素を有する。ソーラ電池パネル２６による発電電力は、パワーコンディショナ２７によって、系統電源と同等の交流電力に変換された後、屋内分電盤２８に送られる。発電機２０は、作動時には、系統電源と同等の交流電力を屋内分電盤２８へ送出する。
【００２７】
屋内分電盤２８は、家屋内の各所へ電力を分配する。発電機２０およびパワーコンディショナ２７から屋内分電盤２８へ出力された発電電力よりも、屋内分電盤２８から家屋内へ供給される消費電力が大きい場合には、不足分の電力が系統電源より買電される。反対に、発電電力が消費電力よりも大きい場合には、太陽光発電による発電電力のうち、余剰分の電力が系統電源へ売電される。売電量および買電量は、電力量計２９ａによって計測される。
【００２８】
エネルギシステム１００は、さらに、熱交換器を有する加熱装置２１と、貯湯タンク２２と、補助熱源機２３と、コントローラ２４とを備える。
【００２９】
加熱装置２１は、熱源機２５からの排熱を利用した熱交換によって、入水を加熱することによって温水を生成する。加熱装置２１で生成された温水は貯湯タンク２２に貯留される。補助熱源機２３は、たとえば、ガス燃焼方式の熱源機によって構成される。貯湯タンク２２に貯留された温水は、補助熱源機２３によって加熱され、または加熱されることなく所定温度に調整されて、一般給湯用に用いられる。エネルギシステム１００への入水量は、水量計２９ｃによって計測される。また、熱源機２５および補助熱源機２３における燃料ガスの消費量は、ガス流量計２９ｂによって計測される。
【００３０】
エネルギシステム１００の各部の動作は、リモコン２００へのユーザ指示（運転オン／オフおよび温度設定、時刻設定等）に従ってエネルギシステム１００が動作するように、コントローラ２４によって制御される。コントローラ２４は、代表的には、マイクロコンピュータによって構成される。
【００３１】
また、電力量計２９ａ、ガス流量計２９ｂ、および水量計２９ｃからの各種エネルギの使用量あるいは売買量のデータは、このコントローラ２４に送信される。なお、補助熱源機２３をガス燃焼方式の熱源機とした場合、そのガス消費量をガス流量計２９ｂで計測させることは可能であるが、必ずしもこれに限定されず、たとえば湯水加熱に要した熱量や燃料ガスの発熱量に基づいて演算する手法を用いることも可能である。
【００３２】
したがって、コントローラ２４は、電力量計２９ａ、ガス流量計２９ｂ、および水量計２９ｃによる計測値に基づいて、上述の「エネルギ処理状況に関するデータ」を取得することができる。
【００３３】
リモコン２００は、たとえば台所や浴室の壁面に固定されて使用される壁掛け方式のものであり、樹脂製の筐体（図示せず）に格納されて構成される。すなわち、リモコン２００は複数個配置されてもよい。
【００３４】
リモコン２００は、制御部２１０と、スピーカ２１３と、マイク２１４と、通信部２２０と、操作部２３０と、表示部３００とを含む。
【００３５】
制御部２１０は、代表的にはマイクロコンピュータによって構成されて、リモコン２００の各部の動作制御やデータ処理を実行する。通信部２２０は、エネルギシステム１００のコントローラ２４（図１）との間でデータ通信を実行するように構成される。
【００３６】
表示部３００は、ユーザが視認できる態様で情報やデータを表示するために、液晶パネルあるいは有機ＥＬパネルなどを用いて構成される。後述するように、表示部３００は、所定部位におけるユーザの押圧動作を認識可能に構成できるタッチパネルによって構成されることが好ましい。表示部３００における表示内容は、制御部２１０によって制御される。
【００３７】
操作部２３０は、ユーザ指示を入力するための操作スイッチ（図示せず）を含んで構成される。操作部２３０は、上記タッチパネル上に操作ボタンの態様で表示された所定領域を含む。
【００３８】
スピーカ２１３は、制御部２１０から指令された音声データや音楽データを出力する。これにより、ユーザが聴認される情報を出力できる。また、マイク２１４およびスピーカ２１３を用いて、複数のリモコン２００間でユーザ同士の会話が可能となる。
【００３９】
なお、エネルギシステム１００のコントローラ２４および／またはリモコン２００の制御部２１０には、現在日時などを検知するためのカレンダ・クロック（図示せず）がさらに設けられる。
【００４０】
制御部２１０は、表示部３００を利用したデータ表示を制御することができる。これにより、タッチパネルを含む操作部２３０のスイッチ操作などに基づいて、所定の期間におけるエネルギ消費量や発電量などの「エネルギ処理状況に関するデータ」を表示部３００に表示することができる。すなわち、本実施の形態では、リモコン２００によって「エネルギ表示装置」が構成される。
【００４１】
特に、本実施の形態に従うエネルギ表示装置では、ユーザによって選択可能な特定期間における「エネルギ処理状況に関するデータ」を、表示画面のグラフ表示エリアにグラフ表示する。エネルギ表示装置はさらに、当該特定期間の一部期間における「エネルギ処理状況に関するデータ」に関連する数値情報を、当該グラフ表示されている表示画面に数値表示する。
【００４２】
以下では、当該特定期間における「エネルギ処理状況に関するデータ」を、単に、「特定データ」とも称する。また、当該一部期間における「エネルギ処理状況に関するデータ」を、単に、「部分データ」とも称する。すなわち、本実施の形態に従うエネルギ表示装置は、特定データのグラフ表示とともに、当該グラフ表示と同一画面に、部分データに関連する数値情報の数値表示を行なうように構成される。
【００４３】
本実施の形態において、「部分データに関連する数値情報」とは、「部分データを示す数値」、「一部期間を示す数値」および「部分データを変換した数値」の少なくとも１つである。すなわち、部分データに関連して１個の数値情報が存在する場合と、部分データに関連して複数の数値情報が存在する場合とがある。
【００４４】
制御部２１０は、上記データ表示に必要となる、電力などのエネルギの量を料金に換算するためのデータや、過去のエネルギ消費量のデータなどの種々のデータを記憶している。これらのデータは、コントローラ２４から通信によって取得することができる。あるいは、制御部２１０は、コントローラ２４を介さずに、電力量計２９ａ、ガス流量計２９ｂ、および水量計２９ｃとの直接の通信によって、これらのデータを取得することも可能である。
【００４５】
また、これらのデータはエネルギシステム１００のコントローラ２４に記憶されてもよい。この場合には、データ表示のための制御部２１０からの要求に応じて、コントローラ２４から制御部２１０へ通信部２２０を経由しでデータが送信される。
【００４６】
次に、本実施の形態に従うエネルギ表示装置を構成するリモコン２００の構成例について説明する。図２は、図１におけるリモコン２００の前面図である。
【００４７】
図２を参照して、リモコン２００の筐体２０１の前面部には、表示部３００および操作部２３０が設けられる。
【００４８】
操作部２３０は、表示画面３１０上に操作ボタンの態様で表示された所定領域を含む。操作部２３０はさらに、操作スイッチ２３０ａ〜２３０ｆを含む。メニュースイッチ２３０ａは、エネルギシステム１００の動作条件（たとえば、目標給湯温度）などを設定変更するために操作される。エネルギスイッチ２３０ｂは、エネルギ消費量などのエネルギ処理状況を確認するために操作される。十字方向スイッチ２３０ｄは、選択項目の切替えに用いられる。具体的には、十字方向スイッチ２３０ｄの上下左右の各所（以下、上位置、下位置、左位置、右位置という）を押圧することにより、表示画面３１０に表示されている選択対象項目を上下左右に切替えることが可能に構成される。ＯＫスイッチ２３０ｅは、十字方向スイッチ２３０ｄを用いた選択項目の切替えを確定するために操作される。操作ボタン２３０ｆは、所定の動作を実行させるために用いられる。
【００４９】
次に、本実施の形態に従うエネルギ表示装置におけるデータ表示について、表示部３００に表示される画面の具体例を挙げて説明する。なお、図２は、表示部３００に表示画面３１０が表示された状態を示している。表示画面３１０は、特定データのグラフ表示と、部分データに関連する数値情報の数値表示とを同一画面に表示するものである。
【００５０】
ユーザは、表示画面３１０上で横方向に配列された複数のタブに選択的にタッチすることによって、特定データにおけるデータ項目を選択することができる。以下、本実施の形態ではユーザがタブ３０３を選択することによって、エネルギシステム１００での「使用電力量」が特定データにおけるデータ項目に選択されている場合の画面例を説明する。図２の例では、「エネルギ処理状況に関するデータ」として、上記使用電力量の他に、系統電源に対する売電電力量、系統電源からの買電電力量、燃料ガスの使用量、エネルギシステム１００からのＣＯ２排出量、エネルギシステム１００への入水量、ソーラ電池パネル２６による発電量等を選択可能である。
【００５１】
ユーザはさらに、表示画面上３１０で縦方向に配列された複数のタブ３０１，３０２にタッチすることによって、特定期間を選択することができる。図２の例では、タブ３０２を選択することによって、特定期間が「昨日」（たとえば、６月２２日）に選択されている。なお、図示は省略するが、タブ３０１を選択することによって、特定期間が「今日」（たとえば、６月２３日）に選択される。なお、特定期間の期間長として、上記「日」の他、「月」、「年」等を選択可能である。
【００５２】
図２では、表示画面３１０には、特定データＤ１に相当する、昨日（６月２２日）の使用電力量が、グラフ表示される。たとえば、６月２２日における使用電力量を１時間毎にさらに細分化した内訳データを示すグラフＧ１によって、棒グラフの態様で特定データＤ１が表示される。すなわち、グラフＧ１において、棒グラフを構成する複数本の棒の各々は、各時間における使用電力量を示す。以下の説明では、グラフＧ１が表示されているエリアを、グラフ表示エリアとも称する。
【００５３】
図２の状態で、ユーザは、グラフＧ１上の複数本の棒の中から１本の棒を選択することによって、特定データＤ１の中から、特定期間（昨日）の一部期間のデータである部分データＤ２を選択することができる。
【００５４】
部分データＤ２は、特定データＤ１を１時間毎に細分化した内訳データの１つに相当する。図２のように、たとえば、特定期間の期間長が「日」である場合、一部期間の期間長を「時間」とすることができる。特定期間の期間長が「月」である場合、一部期間の期間長を「日」とすることができる。また、特定期間の期間長が「年」である場合、一部期間の期間長を「月」とすることができる。
【００５５】
図２の例では、当該一部期間が、「１２〜１３時」に選択されている。この場合において、昨日（６月２２日）の１２〜１３時における使用電力量が、部分データＤ２となる。特定データＤ１から部分データＤ２を選択する方法（第１の選択手段）については後述する。
【００５６】
なお、昨日の１２〜１３時における使用電力量が部分データＤ２に選択されていることをユーザに認識させるべく、グラフＧ１において、１２〜１３時における使用電力量を示す棒を強調表示させることが好ましい。図２の例では、１２〜１３時における使用電力量を示す棒の表示色を、その他の棒の表示色とは異ならせている。強調表示には、表示色の変更の他に、表示輝度の変更や点灯表示などが適用可能である。
【００５７】
この結果、部分データＤ２に相当する、昨日の１２〜１３時における使用電力量に関連する数値情報Ｎ２が、グラフＧ１と同一画面に、数値表示される。図２の例では、数値情報Ｎ２として、当該使用電力量を料金に換算した値（たとえば、２０円）が数値表示されている。
【００５８】
上記数値表示では、表示される数値情報Ｎ２が部分データＤ２に関連するものであることをユーザに認識させるべく、グラフ表示エリア内において、数値情報Ｎ２を部分データＤ２の周辺に表示することが好ましい。図２の例では、部分データＤ２から吹出した態様の数値画像Ｉ２を表示画面３１０に表示させている。ただし、上記数値表示は、グラフ表示エリア内の空きスペース（たとえば、各棒の上方領域）を用いて行なうことが好ましい。数値画像Ｉ２が棒グラフの一部の棒を覆うことでグラフ表示の視認性が低下することを防ぐためである。
【００５９】
ここで、「部分データＤ２に関連する数値情報Ｎ２」としては、上記のように、「部分データＤ２を料金に換算した値」の他に、「部分データＤ２を示す数値」、「一部期間を示す数値」等を含めることが可能である。図２の例では、数値情報Ｎ２として、「昨日の１２〜１３時における使用電力量を料金に換算した値」（たとえば、２０円）、「昨日の１２〜１３時における使用電力量」（たとえば、６０ｋＷｈ）、および、「昨日の１２〜１３時」を含めることができる。そして、これらの数値情報の中から少なくとも１つを選択して表示画面３１０に数値表示することができる。数値表示する数値情報Ｎ２を選択する方法（第２の選択手段）については後述する。
【００６０】
このように、特定データのグラフ表示と同一画面に、部分データに関連する数値情報の数値表示を行なうことにより、ユーザは、表示画面３１０上で、特定データの時間的推移と、部分データに関連する数値情報とを同時に取得することができる。これにより、ユーザは、部分データの数値情報を取得するために、特定データがグラフ表示された表示画面（以下、グラフ表示画面とも称する）を、当該数値情報を数値表示するための表示画面（以下、数値表示画面とも称する）に切替えるための操作が不要となる。したがって、データ表示におけるユーザの利便性を向上させることができる。
【００６１】
なお、図２の例では、ユーザは、表示画面３１０上で、特定期間における使用電力量の時間的推移を取得するとともに、当該特定期間の一部期間における電気料金を取得することができる。そのため、使用電力量を表示するためのグラフ表示画面と、電気料金を表示するための数値表示画面とを切替えるための操作が不要となる。
【００６２】
（部分データＤ２の選択方法）
次に、特定データＤ１の中から部分データＤ２を選択する手段（第１の選択手段）の具体的方法について説明する。部分データＤ２の選択は操作部２３０を用いて行なうことができる。以下では、操作スイッチ２３０ｄ，２３０ｅを用いて部分データＤ２を選択する方法（図３参照）、および、タッチパネルを用いて部分データＤ２を選択する方法（図４参照）を例示して説明する。
【００６３】
図３は、本実施の形態に従うエネルギ表示装置におけるデータ表示の第１の画面例を示す図である。
【００６４】
図３（ａ），（ｂ）に示される表示画面３１０は、表示部３００に表示される。図３（ｂ）を参照して、ユーザは、十字方向スイッチ２３０ｄおよび決定スイッチ２３０ｅを操作することによって、部分データＤ２を選択することができる。
【００６５】
図３（ａ）に示される表示画面３１０は、図２に示した表示画面３１０と同様である。すなわち、図３（ａ）に示される表示画面３１０には、特定データＤ１に相当する、昨日（６月２２日）の使用電力量が、棒グラフの態様からなるグラフＧ１によって、グラフ表示されている。図３（ａ）の例では、部分データＤ２が、昨日（６月２２日）の１２〜１３時における使用電力量に選択されている。そして、当該部分データＤ２に関連する数値情報Ｎ２に相当する、当該使用電力量を料金に換算した値（たとえば、２０円）を数値表示するための数値画像Ｉ２が、表示画面３１０に表示されている。
【００６６】
図３（ａ）の状態で、ユーザは、十字方向スイッチ２３０ｄの左右の各所を押圧することによって、部分データＤ２を切替えることができる。たとえば、ユーザが十字方向スイッチ２３０ｄの左位置を押圧する毎に、一部期間は、１２〜１３時よりも早い時間に１時間ずつ切替わる。一方、ユーザが十字方向スイッチ２３０ｄの右位置を押圧する毎に、一部期間は、１２〜１３時よりも遅い時間に１時間ずつ切替わる。これにより、ユーザは、１２〜１３時よりも早い時間、または、１２〜１３時よりも遅い時間における使用電力量を、部分データＤ２に選択することができる。
【００６７】
なお、ユーザが十字方向スイッチ２３０ｄを押圧することによって部分データＤ２が切替わると、グラフＧ１上において強調表示される棒も切替わる。したがって、ユーザは、表示画面３１０上で確認しながら、所望の部分データＤ２を選択することができる。そして、所望の部分データＤ２を選択した後に、決定スイッチ２３０ｅを押圧することにより、当該選択を確定することができる。
【００６８】
図３（ｂ）の例では、十字方向スイッチ２３０ｄの左位置が１回押圧された後に決定スイッチ２３０ｅが押圧されたことによって、部分データＤ２が、昨日（６月２２日）の１１〜１２時における使用電力量に選択されている。したがって、表示画面３１０には、当該部分データＤ２に関連する数値情報Ｎ２に相当する、当該使用電力量を料金に換算した値（たとえば、１８円）を数値表示するための数値画像Ｉ２が表示されている。
【００６９】
図４は、本実施の形態に従うエネルギ表示装置におけるデータ表示の第２の画面例を示す図である。
【００７０】
図４に示される表示画面３２０は、表示部３００に表示される。表示画面３２０には、特定データＤ１に相当する、昨日（６月２２日）の使用電力量が、棒グラフの態様からなるグラフＧ１によって表示されている。
【００７１】
表示画面３２０上には、部分データＤ２を選択するためのアイコン３０４，３０５がさらに設けられる。ユーザがアイコン３０４を操作する毎に、一部期間が切替わる。たとえば、ユーザがアイコン３０４を１回操作する毎に、一部期間が１時間ずつ切替わる。
【００７２】
あるいは、ユーザがアイコン３０４を操作すると、表示画面３２０上に、２次元に配列された複数のキーを含むテンキーを表示する構成としてもよい。この場合、ユーザは、当該テンキーにより所望の時間を入力することによって、当該時間における使用電力量を部分データＤ２に選択することができる。
【００７３】
ユーザがアイコン３０４を操作することによって部分データＤ２が切替わると、グラフＧ１上において強調表示される棒も切替わる。したがって、ユーザは、表示画面３２０上で確認しながら、所望の部分データＤ２を選択することができる。そして、所望の部分データＤ２を選択した後に、アイコン３０５を押圧することにより、当該選択を確定することができる。
【００７４】
図４の例では、部分データＤ２が、昨日（６月２２日）の１２〜１３時における使用電力量に選択されている。そして、当該部分データＤ２に関連する数値情報Ｎ２に相当する、当該使用電力量を料金に換算した値（たとえば、２０円）を数値表示するための数値画像Ｉ２が、表示画面３２０に表示されている。
【００７５】
なお、図４では、表示画面３２０上に、部分データＤ２を選択するためのアイコン３０４，３０５を設ける構成について説明したが、グラフＧ１（棒グラフ）を構成する複数本の棒の各々を、部分データＤ２を選択するためのアイコンとして機能させることも可能である。この場合、ユーザは、表示画面３２０上で横方向に配列された複数本の棒に選択的にタッチすることによって、部分データＤ２を選択することができる。このとき、グラフＧ１上において、ユーザがタッチした棒は強調表示（表示色または表示輝度の変更、点灯表示など）される。したがって、ユーザは、表示画面３２０上で確認しながら、所望の部分データＤ２を選択することができる。
【００７６】
（表示レンジの変更）
図５は、本実施の形態に従うエネルギ表示装置におけるデータ表示の第３の画面例を示す図である。
【００７７】
図５（ａ）に示される表示画面３１０は、表示部３００に表示される。表示画面３１０には、特定データＤ１に相当する、昨日（６月２２日）の使用電力量が、棒グラフの態様からなるグラフＧ１によって、グラフ表示されている。図５（ａ）の例では、部分データＤ２が、昨日（６月２２日）の１８〜１９時における使用電力量に選択されている。そして、当該部分データＤ２に関連する数値情報Ｎ２に相当する、当該使用電力量を料金に換算した値（たとえば、３０円）を数値表示するための数値画像Ｉ２が、表示画面３１０に表示されている。
【００７８】
図５（ａ）に示されるように、グラフ表示エリア内に部分データＤ２と数値画像Ｉ２とを並べて表示すると、棒グラフを構成する各棒の高さによっては、数値画像Ｉ２がグラフＧ１の一部分と重なってしまう場合がある。そのため、グラフＧ１が見難くなり、却ってユーザの利便性を損なってしまう可能性がある。
【００７９】
そこで、数値画像Ｉ２がグラフＧ１と重なる場合には、グラフＧ１の表示レンジを変更することが好ましい。図５（ａ）の例では、数値画像Ｉ２がグラフＧ１の各棒と重ならないように、グラフＧ１の表示レンジの数値を大きくする。表示レンジの数値を大きくすることによって、図５（ｂ）に示されるように、棒グラフを構成する各棒の高さが、相対的な比率を維持しながら、短くなる。したがって、グラフＧ１が表現する使用電力量の時間的推移が損なわれることがない。この結果、ユーザは、グラフ表示から特定データの時間的推移を取得するとともに、部分データに関連する数値情報を取得することができる。
【００８０】
（数値情報の選択）
次に、部分データＤ２に関連する複数の数値情報の中から、数値表示する数値情報Ｎ２を選択する手段（第２の選択手段）の具体的方法について説明する。数値情報Ｎ２の選択は、操作部２３０を用いて行なうことができる。以下では、操作スイッチ２３０ｄ，２３０ｅを用いて数値情報Ｎ２を選択する方法（図６参照）、および、タッチパネルを用いて数値情報Ｎ２を選択する方法（図示せず）を例示して説明する。
【００８１】
図６は、本実施の形態に従うエネルギ表示装置におけるデータ表示の第４の画面例を示す図である。
【００８２】
図６（ａ）〜（ｃ）に示される表示画面３１０は、表示部３００に表示される。図６（ｃ）を参照して、ユーザは、十字方向スイッチ２３０ｄおよび決定スイッチ２３０ｅを操作することによって、数値情報Ｎ２を選択することができる。
【００８３】
図６（ａ）に示される表示画面３１０は、図２に示した表示画面３１０と同様である。すなわち、図６（ａ）に示される表示画面３１０には、特定データＤ１に相当する、昨日（６月２２日）の使用電力量が、棒グラフの態様からなるグラフＧ１によって、グラフ表示されている。図６（ａ）の例では、部分データＤ２が、昨日（６月２２日）の１２〜１３時における使用電力量に選択されている。そして、当該部分データＤ２に関連する数値情報Ｎ２に相当する、「使用電力量を料金に換算した値」（たとえば、２０円）を数値表示するための数値画像Ｉ２が、グラフ表示エリア内に表示されている。
【００８４】
図６（ａ）の状態で、ユーザは、十字方向スイッチ２３０ｄの上下の各所を押圧することによって、数値情報Ｎ２を切替えることができる。たとえば、ユーザが十字方向スイッチ２３０ｄの上位置を押圧すると、表示画面３１０は図６（ｂ）の状態に切替えられる。
【００８５】
図６（ｂ）を参照して、表示画面３１０には、図６（ａ）と同様のグラフＧ１が表示されるとともに、部分データＤ２に関連する数値情報Ｎ２として、部分データＤ２を示す数値に相当する、「昨日（６月２２日）の１２〜１３時における使用電力量」（たとえば、６０ｋＷｈ）が数値表示されている。
【００８６】
一方、図６（ａ）の状態で、ユーザが十字方向スイッチ２３０ｄの下位置を押圧すると、表示画面３１０は図６（ｃ）の状態に切替えられる。
【００８７】
図６（ｃ）を参照して、表示画面３１０には、図６（ａ）と同様のグラフＧ１が表示されるとともに、部分データＤ２に関連する数値情報Ｎ２として、一部期間を示す数値に相当する、「（昨日の）１２〜１３時」が数値表示されている。
【００８８】
ユーザは、表示画面３１０上で確認しながら、所望の数値情報Ｎ２を選択することができる。そして、所望の数値情報Ｎ２を選択した後に、決定スイッチ２３０ｅを押圧することにより、当該選択を確定することができる。
【００８９】
上述した数値情報Ｎ２の選択は、タッチパネルを用いて行なうこともできる。たとえば、数値画像Ｉ２を、数値情報Ｎ２を選択するためのアイコンとして機能させることも可能である。この場合、ユーザは、数値画像Ｉ２をアイコンとして操作する毎に、数値情報Ｎ２が切替わる。たとえば、図６（ａ）の状態でユーザが数値画像Ｉ２を１回操作すると、表示画面３１０は、図６（ｂ）の状態に切替えられる。図６（ｂ）の状態でユーザが数値画像Ｉ２をさらに１回操作すると、表示画面３１０は、図６（ｃ）の状態に切替えられる。このようにして、ユーザは、表示画面３１０上で確認しながら、所望の数値情報Ｎ２を選択することができる。
【００９０】
なお、図６では、操作部２３０を用いて数値情報Ｎ２を選択する構成を示したが、複数の数値情報を時間的に切替えて数値表示する構成とすることもできる。すなわち、数値表示される数値情報Ｎ２は、所定の時間間隔で自動的に切替えられる。図６の例では、表示画面３１０が、図６（ａ）の状態、図６（ｂ）の状態および図６（ｃ）の状態の間で時間的に切替えられる。
【００９１】
また、図６では、複数の数値情報の中から選択された１つの数値情報Ｎ２を数値表示するときの表示例を示したが、図７に示されるように、当該複数の数値情報を一括して数値表示することもできる。図７には、本実施の形態に従うエネルギ表示装置におけるデータ表示の第５の画面例が示される。
【００９２】
図７を参照して、表示画面３１０には、特定データＤ１に相当する、昨日（６月２２日）の使用電力量が、棒グラフの態様からなるグラフＧ１によって、グラフ表示されている。図７の例では、部分データＤ２が、昨日（６月２２日）の１２〜１３時における使用電力量に選択されている。
【００９３】
表示画面３１０にはさらに、部分データＤ２に関連する数値情報Ｎ２に相当する、「使用電力量を料金に換算した値」（たとえば、２０円）、「昨日の１２〜１３時における使用電力量」（たとえば、６０ｋＷｈ）、および「（昨日の）１２〜１３時」が数値表示されている。図７の例では、これら３つの数値表示を上下方向に並べた数値画像Ｉ２が、グラフＧ１内に表示されている。数値画像Ｉ２は、これに限定されず、たとえば３つの数値表示を左右方向に並べることを可能である。なお、数値画像Ｉ２がグラフＧ１と重なる場合には、図５と同様に、グラフＧ１の表示レンジを変更することが好ましい。
【００９４】
（数値情報の表示態様）
図２〜図７では、数値情報Ｎ２の表示態様として、部分データＤ２から吹出した態様の数値画像Ｉ２を表示画面３１０に表示させる例を説明したが、図８に示されるように、グラフ表示エリアの空きスペースの予め定められた位置に、数値画像Ｉ２を表示することもできる。図８には、本実施の形態に従うエネルギ表示装置におけるデータ表示の第６の画面例が示される。図８の例では、数値画像Ｉ２は、略矩形形状を有する枠内に数値を配置した構成となっている。数値画像Ｉ２は、グラフＧ１の縦軸の周辺の空きスペースに表示されている。
【００９５】
以上説明したように、本実施の形態に従うエネルギ表示装置によれば、特定データがグラフ表示されている表示画面上において、特定データの一部データに関連する数値情報が数値表示されるため、データ表示におけるユーザの利便性を向上させることができる。
【００９６】
また、数値表示を、グラフ表示エリアの空きスペースを用いて行なうことで、グラフ表示の視認性を低下することを防ぐことができる。また、数値表示を行なうための新たなスペースが不要となるため、表示画面が大型化することがない。
【００９７】
さらに、数値情報を表す数値画像がグラフ表示の一部分と重ならないように、グラフ表示の表示レンジを変更することによっても、上述した効果を維持することができる。
【００９８】
［変形例］
上記の実施の形態では、棒グラフの態様でグラフ表示された特定データＤ１の中から部分データＤ２を選択し、部分データＤ２に関連する数値情報Ｎ２を数値表示するときの表示例について説明したが、特定データＤ１のグラフ表示の態様はこれに限定されない。以下では、本実施の形態の変形例として、折れ線グラフの態様でグラフ表示された特定データＤ１の中から部分データＤ２を選択し、部分データＤ２に関連する数値情報Ｎ２を数値表示するときの表示例について説明する。
【００９９】
図９は、本実施の形態の変形例に従うエネルギ表示装置の表示部３００に表示画面３３０が表示された状態を示している。表示画面３３０は、特定データＤ１のグラフ表示と、部分データＤ２に関連する数値情報Ｎ２の数値表示とを同一画面に表示するものである。
【０１００】
ユーザは、表示画面３３０上で横方向に配列された複数のタブに選択的にタッチすることによって、表示されるデータ項目を選択することができる。以下、本変形例ではユーザがタブ３０８を選択することによってエネルギシステム１００での「光熱量」が表示対象に選択されている場合の画面例を説明する。図８の例では、「エネルギ処理状況に関するデータ」として、上記光熱量の他に、系統電源に対する売電電力量、系統電源からの買電電力量、燃料ガスの使用量、エネルギシステム１００への入水量等を選択可能である。
【０１０１】
さらに、表示画面上３３０で縦方向に配列された複数のタブ３０６，３０７にタッチすることによって特定期間を選択することができる。図９の例では、タブ３０７を選択することによって、特定期間が「先月」（たとえば、２０１５年５月）に選択されている。なお、図示は省略するが、タブ３０６を選択することによって、特定期間が「今月」（たとえば、２０１５年６月）に選択される。
【０１０２】
図９では、表示画面３３０には、特定データＤ１に相当する、先月（２０１５年５月）の光熱量が、グラフ表示される。たとえば、先月における光熱量を１日毎にさらに細分化した内訳データを示すグラフＧ２によって、折れ線グラフの態様で特定データＤ１が表示される。すなわち、グラフＧ２において、折れ線グラフを構成する複数の点の各々は、各日（１日〜末日）における光熱量を示す。
【０１０３】
図９の状態で、ユーザは、グラフＧ２上の複数の点の中から１点を選択することによって、特定データＤ１の中から、特定期間（先月）の一部期間（日間）のデータである部分データＤ２を選択することができる。図９の例では、当該一部期間が、「５月１０日」に選択されている。この場合において、２０１５年５月１０日における光熱量が、部分データＤ２となる。
【０１０４】
特定データＤ１から部分データＤ２を選択する方法（第１の選択手段）については、図３と同様に、操作スイッチ２３０ｄ，２３０ｅを用いて行なうことができる。または、図４と同様に、表示画面３３０上に設けられた、部分データＤ２を選択するためのアイコン（図示せず）を操作することによって行なうことができる。あるいは、グラフＧ２（折れ線グラフ）を構成する複数の点の各々を、部分データＤ２を選択するためのアイコンとして機能させることも可能である。この場合、ユーザは、表示画面３３０上で複数の点に選択的にタッチすることによって、部分データＤ２を選択することができる。
【０１０５】
本変形例においても、５月１０日における光熱量が部分データＤ２に選択されていることをユーザに認識させるべく、グラフＧ２において、５月１０日における光熱量を示す点を強調表示させることが好ましい。図９の例では、５月１０日における光熱量を示す点の表示サイズを、その他の点の表示サイズとは異ならせている。強調表示には、表示サイズの変更の他に、表示色または表示輝度の変更や点灯表示などが適用可能である。
【０１０６】
この結果、部分データＤ２に相当する、９月１０日における光熱量に関連する数値情報Ｎ２が、グラフＧ２と同一画面に、数値表示される。図９の例では、数値情報Ｎ２として、当該光熱量（たとえば、１５０００円）が数値表示されている。
【０１０７】
上記数値表示では、表示される数値情報Ｎ２が部分データＤ２に関連するものであることをユーザに認識させるべく、グラフ表示エリア内において、数値情報Ｎ２を部分データＤ２と並べて表示することが好ましい。図９の例では、部分データＤ２から吹出した態様の数値画像Ｉ２を表示画面３３０に表示させている。
【０１０８】
図６に示した表示画面３１０と同様に、図９に示す表示画面３３０においても、部分データＤ２に関連する複数の数値情報の中から、数値表示させる数値情報Ｎ２を選択することができる。また、図７に示した表示画面３１０と同様に、部分データＤ２に関連する複数の数値情報を一括して数値表示することも可能である。
【０１０９】
これにより、実施の形態の変形例に従うエネルギ表示装置においても、実施の形態に従うエネルギ表示装置と同様の効果を得ることができる。
【０１１０】
なお、本実施の形態およびその変形例が適用される、エネルギシステム１００およびリモコン２００の構成（図１および図２）は例示に過ぎず、本発明は適用されるシステムの構成に特に限定することなく、「エネルギ処理状況に関するデータ」の表示に共通に適用することができる。
【０１１１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１２】
２０  発電機、２１  加熱装置、２２  貯湯タンク、２３  補助熱源機、２４  コントローラ、２５  熱源機、２６  ソーラ電池パネル、２７  パワーコンディショナ、２８  屋内分電盤、２９ａ  電力量計、２９ｂ  ガス流量計、２９ｃ  水量計、１００  エネルギシステム、２００  リモートコントロール装置（リモコン）、２１０  制御部、２１３  スピーカ、２１４  マイク、２２０  通信部、２３０  操作部、３００  表示部、３０１〜３０３  タブ、３０４，３０５  アイコン、３１０，３２０，３３０  表示画面、Ｄ１  特定データ、Ｄ２  部分データ、Ｇ１，Ｇ２  グラフ、Ｎ２  数値情報、Ｉ２  数値画像。
【図１】
0006638322.tif 000002
【図２】
0006638322.tif 000003
【図３】
0006638322.tif 000004
【図４】
0006638322.tif 000005
【図５】
0006638322.tif 000006
【図６】
0006638322.tif 000007
【図７】
0006638322.tif 000008
【図８】
0006638322.tif 000009
【図９】
0006638322.tif 000010